(57)【要約】【課題】回覧される人に応じて提供する情報を変えるようにした回覧装置を提供する。【解決手段】回覧装置１は、情報表示部２と、指紋入力部３Ａ、３Ｂとを有する。情報表示部２は、電子ペーパー技術を利用した表示装置や、液晶表示パネルなどによって構成され、画像やテキストなどの情報を表示する。指紋入力部３Ａおよび３Ｂは、回覧装置１の閲覧者が当該回覧装置１を指で挟持するとき、指紋入力部３Ａおよび３Ｂの少なくとも一方から閲覧者の指紋を入力するように構成されている。回覧装置１は、閲覧者を識別し、識別結果に応じて情報表示部２に異なる情報を表示する。閲覧者の識別は、指紋を検出して行う。【選択図】図１
2004185408.tif 000002
【特許請求の範囲】
【請求項１】
回覧情報を表示する情報表示手段と、
閲覧者を識別する識別手段と、
少なくとも前記識別手段による識別結果に応じて、異なる回覧情報を前記情報表示手段に表示させる制御手段とを備えることを特徴とする回覧装置。
【請求項２】
請求項１に記載の回覧装置において、
閲覧者を示す閲覧者情報をあらかじめ記憶する第１の記憶手段をさらに備え、
前記識別手段は、前記第１の記憶手段に記憶されている閲覧者情報を用いて、閲覧者を識別することを特徴とする回覧装置。
【請求項３】
請求項２に記載の回覧装置において、
前記閲覧者情報に関連づけて閲覧許可情報を記憶する第２の記憶手段をさらに備え、
前記制御手段は、前記第１の記憶手段に記憶されている前記識別された閲覧者の閲覧者情報に関連づけて前記第２の記憶手段に記憶されている閲覧許可情報を用いて、異なる回覧情報を前記情報表示手段に表示させることを特徴とする回覧装置。
【請求項４】
請求項３に記載の回覧装置において、
前記回覧情報には開示度を示す情報が対応づけられ、
前記制御手段は、前記閲覧許可情報と合致する開示度に対応する回覧情報を前記情報表示手段に表示させることを特徴とする回覧装置。
【請求項５】
請求項１〜４のいずれかに記載の回覧装置において、
前記異なる回覧情報は、情報量、表示サイズ、表示内容、および表示言語の少なくとも１つが異なることを特徴とする回覧装置。
【発明の詳細な説明】
【０００１】
【発明の属する技術分野】
本発明は、回覧情報を表示する回覧装置に関する。
【０００２】
【従来の技術】
粒子の回転や、電気泳動などの技術を用いて画像やテキストなどの情報を表示する表示装置が知られている（たとえば、特許文献１を参照）。このような表示装置は、薄型・軽量である上に表示する情報が書き換え自在なので、回覧物として繰り返し使用することもできる。
【０００３】
【特許文献１】
特開２００１−９２３８７号公報
【特許文献２】
特許第３００７７１４号公報
【０００４】
【発明が解決しようとする課題】
一般に、回覧物は回覧される人の全てに同じ情報を与える。しかしながら、回覧される人によって異なる情報を与えたいという要求があった。
【０００５】
本発明は、回覧される人（閲覧者）に応じて提供する回覧情報を変えるようにした回覧装置を提供するものである。
【０００６】
【課題を解決するための手段】
本発明による回覧装置は、回覧情報を表示する情報表示手段と、閲覧者を識別する識別手段と、少なくとも識別手段による識別結果に応じて、異なる回覧情報を情報表示手段に表示させる制御手段とを備えることを特徴とする。
上記回覧装置はさらに、閲覧者を示す閲覧者情報をあらかじめ記憶する第１の記憶手段を備えてもよく、この場合の識別手段は、第１の記憶手段に記憶されている閲覧者情報を用いて、閲覧者を識別することもできる。
閲覧者情報に関連づけて閲覧許可情報を記憶する第２の記憶手段をさらに備えてもよい。この場合の制御手段は、第１の記憶手段に記憶されている識別された閲覧者の閲覧者情報に関連づけて第２の記憶手段に記憶されている閲覧許可情報を用いて、異なる回覧情報を情報表示手段に表示させることもできる。
回覧情報に開示度を示す情報を対応づけてもよい。この場合の制御手段は、閲覧許可情報と合致する開示度に対応する回覧情報を情報表示手段に表示させることもできる。
異なる回覧情報は、情報量、表示サイズ、表示内容、および表示言語の少なくとも１つが異なっているとよい。
【０００７】
【発明の実施の形態】
以下、図面を参照して本発明の実施の形態を説明する。
図１は、本発明の一実施の形態による回覧装置を示す図である。図１において、回覧装置１は、情報表示部２と、指紋入力部３Ａ、３Ｂとを有する。情報表示部２は、いわゆる電子ペーパー技術を用いた特許文献１に記載の表示装置や、液晶表示パネルなどによって構成され、画像やテキストなどの情報を表示する。指紋入力部３Ａおよび３Ｂは、回覧装置１の閲覧者が当該回覧装置１を指で挟持するとき、指紋入力部３Ａおよび３Ｂの少なくとも一方から閲覧者の指紋を入力するように構成されている。指紋入力部３Ａおよび３Ｂは、回覧装置１の情報表示部２側の面で、回覧装置１を挟持する閲覧者の指が触れやすく、かつ挟持する指が表示面を覆わない位置に配設されている。
【０００８】
本発明による回覧装置１は、閲覧者を識別し、識別結果に応じて情報表示部２に異なる情報を表示することを特徴とする。本実施の形態では、閲覧者の識別を指紋検出によって行う。
【０００９】
図２は、回覧装置１のブロック構成図である。図２において、回覧装置１は、データ入力部２１と、データ記憶部２２と、情報表示部２と、指紋入力部３Ａ、３Ｂと、指紋記憶部２５と、判定部２６とを有する。データ入力部２１は、通信回路もしくはカード読み取り回路などによって構成される。データ入力部２１が通信回路によって構成される場合、当該通信回路がパーソナルコンピュータ（パソコン）や携帯型情報端末などの外部機器（不図示）から送信された情報を受信し、受信情報をデータ記憶部２２へ送出する。データ入力部２１がカード読み取り回路によって構成される場合、当該読み取り回路がカードスロット（不図示）に装着されたメモリカードもしくはＩＣカード（不図示）に記憶されている情報を読み出し、読み出し情報をデータ記憶部２２へ送出する。
【００１０】
データ記憶部２２は、回覧装置１を制御する制御回路によって構成される。データ記憶部２２は、データ入力部２１から入力された情報をデータ記憶部２２内の不揮発性メモリ（不図示）に記憶する。データ記憶部２２に記憶する情報には、情報表示部２に表示するためのコンテンツ情報と、各コンテンツ情報の開示度を示す情報とが含まれる。開示度については後述する。
【００１１】
データ記憶部２２は、判定部２６から閲覧者を示す情報が入力されると、当該閲覧者に閲覧が許可されているコンテンツ情報を不揮発性メモリ（不図示）から読み出して情報表示部２へ送出する。ここで、コンテンツ情報の開示度と、閲覧者に対する閲覧許可との対応は以下のとおりである。
【００１２】
開示レベルは、たとえば、レベル１からレベル４の４段階に分けられている。開示レベル１は、閲覧者が回覧装置１に登録されているか否かにかかわらず、閲覧者全員に閲覧を許可するコンテンツ情報に与えられる。開示レベル２は、回覧装置１に登録されている閲覧者のみに閲覧を許可するコンテンツ情報に与えられる。開示レベル３は、回覧装置１に登録されている閲覧者のうち、開示レベル３の閲覧許可情報が登録されている閲覧者のみに閲覧を許可するコンテンツ情報に与えられる。開示レベル４は、回覧装置１に登録されている閲覧者のうち、開示レベル４の閲覧許可情報が登録されている閲覧者のみに閲覧を許可するコンテンツ情報に与えられる。
【００１３】
開示レベル３および開示レベル４のコンテンツ情報を閲覧する登録は、回覧装置１に対して閲覧者を登録する時に行われる。閲覧者に開示レベル３、もしくは開示レベル４のコンテンツ情報の閲覧を許可するとき、当該閲覧者のＩＤを示す情報に関連づけて閲覧許可情報をデータ記憶部２２に記憶する。開示レベル３の閲覧許可および開示レベル４の閲覧許可は、それぞれコンテンツ情報の閲覧者を制限したい場合に行うもので、閲覧を制限しない場合は閲覧者の登録時に当該閲覧者のＩＤ情報のみをデータ記憶部２２に記憶する。
【００１４】
指紋入力部３Ａおよび３Ｂは、それぞれ閲覧者の指紋を入力する。指紋の入力は、指紋入力部３Ａおよび３Ｂの少なくとも一方からでよい。回覧装置１に閲覧者を登録するとき、指紋入力部３Ａもしくは３Ｂから入力された閲覧者の指紋を示す情報が指紋記憶部２５へ送出される。指紋記憶部２５は不揮発性メモリなどによって構成され、指紋入力部３Ａおよび３Ｂのいずれかから入力された情報を、当該閲覧者のＩＤに対応づけて記憶する。
【００１５】
回覧装置１に閲覧者が登録されているか否かを判定するとき、指紋入力部３Ａもしくは３Ｂから入力された閲覧者の指紋を示す情報が判定部２６へ送出される。判定部２６は、指紋入力部３Ａおよび３Ｂのいずれかから指紋を示す情報が入力されると、指紋記憶部２５に記憶されている情報と順次照合し、閲覧者の識別を行う。判定部２６は、識別結果を識別情報としてデータ記憶部２２へ送出する。識別情報は、登録済みの閲覧者である場合は当該閲覧者を示すＩＤ情報であり、未登録や指紋入力エラーなどによって閲覧者を特定できない（識別不能）場合は、未登録を示す情報である。指紋入力エラーは、指紋入力部３Ａもしくは３Ｂに対する指の触れ方が不十分であるなどの理由によって照合に必要な情報が得られない場合である。
【００１６】
指紋入力部３Ａ（３Ｂ）、指紋記憶部２５、ならびに判定部２６が指紋検出装置を構成する。このような指紋検出技術は、たとえば、特許第３００７７１４号公報に記載されているように周知のものである。
【００１７】
情報表示部２は、データ記憶部２２から送出されたコンテンツ情報を表示する。回覧装置１は、不図示のメインスイッチがオン操作されると、情報表示部２に開示レベル１のコンテンツ情報を表示させ、指紋入力部３Ａおよび３Ｂから入力される指紋を示す情報によって閲覧者を識別すると、開示レベル２のコンテンツ情報をさらに表示させる。閲覧者を特定できない場合は、開示レベル１のコンテンツ情報の表示のままとする。
【００１８】
識別した閲覧者のＩＤに関連づけて閲覧許可情報がデータ記憶部２２に記憶されている場合、閲覧許可レベル（この場合開示レベル３もしくは開示レベル４）に応じて、該当するコンテンツ情報を情報表示部２にさらに表示させる。
【００１９】
以上説明した回覧装置の制御回路（データ記憶部２２）で行われる処理の流れについて、図３のフローチャートを参照して説明する。図３による処理は、回覧装置１のメインスイッチ（不図示）がオンされている間に繰り返し実行される。ステップＳ１１において、制御回路は、閲覧者を登録する操作が行われたか否かを判定する。制御回路は、データ入力部２１から登録信号が入力された場合にステップＳ１１を肯定判定し、ステップＳ１２へ進む。制御回路は、登録信号が入力されない場合にステップＳ１１を否定判定し、ステップＳ１５へ進む。登録信号は、不図示の外部機器などから送信される。
【００２０】
ステップＳ１２において、制御回路は、指紋入力部３Ａおよび３Ｂに指紋情報の入力を指示してステップＳ１３へ進む。ステップＳ１３において、制御回路は、データ入力部２１を介して閲覧者のＩＤを示す情報、ならびに閲覧許可情報を入力してステップＳ１４へ進む。なお、閲覧者によっては、閲覧許可情報が入力されない場合もある。
【００２１】
ステップＳ１４において、制御回路は、指紋入力部３Ａおよび３Ｂのいずれかから入力された指紋を示す情報を、当該閲覧者のＩＤに対応づけて指紋記憶部２５に記憶させる（登録する）とともに、閲覧許可情報を当該閲覧者のＩＤを示す情報に関連づけてデータ記憶部２２内の不揮発性メモリ（不図示）に記憶させ、ステップＳ１５へ進む。
【００２２】
ステップＳ１５において、制御回路は、データを入力する操作が行われたか否かを判定する。制御回路は、データ入力部２１からコンテンツ情報を示す信号が入力された場合にステップＳ１５を肯定判定し、ステップＳ１６へ進む。制御回路は、コンテンツ情報を示す信号が入力されない場合にステップＳ１５を否定判定し、ステップＳ１８へ進む。コンテンツ情報は、不図示の外部機器などから送信される。
【００２３】
ステップＳ１６において、制御回路は、データ入力部２１を介してコンテンツ情報ならびに当該コンテンツ情報の開示レベルの情報をそれぞれ入力し、ステップＳ１７へ進む。ステップＳ１７において、制御回路は、コンテンツ情報とコンテンツ情報ごとの開示レベルを示す情報とを、データ記憶部２２内の不揮発性メモリ（不図示）に記憶させ、ステップＳ１８へ進む。
【００２４】
ステップＳ１８において、制御回路は、データ記憶部２２内の不揮発性メモリから開示レベル１のコンテンツ情報を読み出して情報表示部２へ送出し、表示を指示する。これにより、情報表示部２に開示レベル１のコンテンツ情報が表示される。開示レベル１のコンテンツ情報は、たとえば、回覧装置１の管理者の連絡先などである。
【００２５】
ステップＳ２０において、制御回路は、指紋入力部３Ａおよび３Ｂのいずれかから指紋の情報が入力されたか否かを判定する。制御回路は、指紋入力部３Ａおよび３Ｂの少なくとも一方から指紋の情報が入力されると、ステップＳ２０を肯定判定してステップＳ２１へ進む。制御回路は、指紋入力部３Ａおよび３Ｂのいずれからも指紋の情報が入力されない場合に、ステップＳ２０を否定判定して図３による処理を終了する。ステップＳ２０を否定判定する場合は、開示レベル１のコンテンツ情報のみを表示する。
【００２６】
ステップＳ２１において、制御回路は、指紋入力部３Ａ、３Ｂから入力された指紋の情報が登録済みか否かを判定する。制御回路は、判定部２６から閲覧者を示すＩＤ情報が入力されると、ステップＳ２１を肯定判定してステップＳ２２へ進む。制御回路は、判定部２６から未登録を示す情報が入力されると、ステップＳ２１を否定判定して図３による処理を終了する。ステップＳ２１を否定判定する場合も、開示レベル１のコンテンツ情報のみを表示する。
【００２７】
ステップＳ２２において、制御回路は、データ記憶部２２内の不揮発性メモリから開示レベル２のコンテンツ情報を読み出して情報表示部２へ送出し、表示を指示する。これにより、情報表示部２に開示レベル２のコンテンツ情報が表示される。開示レベル２のコンテンツ情報は、たとえば、回覧装置１の回覧順（ルート）や、機密性が低い連絡事項などである。
【００２８】
ステップＳ２３において、制御回路は、閲覧者を示すＩＤ情報に関連づけて開示レベル３の閲覧許可情報がデータ記憶部２２内に記憶されているか否かを判定する。制御回路は、開示レベル３の閲覧許可情報が記憶されている場合にステップＳ２３を肯定判定してステップＳ２６へ進み、開示レベル３の閲覧許可情報が記憶されていない場合にステップＳ２３を否定判定してステップＳ２４へ進む。
【００２９】
ステップＳ２４において、制御回路は、閲覧者を示すＩＤ情報に関連づけて開示レベル４の閲覧許可情報がデータ記憶部２２内に記憶されているか否かを判定する。制御回路は、開示レベル４の閲覧許可情報が記憶されている場合にステップＳ２４を肯定判定してステップＳ２７へ進み、開示レベル４の閲覧許可情報が記憶されていない場合にステップＳ２４を否定判定してステップＳ２５へ進む。
【００３０】
ステップＳ２５において、制御回路は、読み出したコンテンツ情報を情報表示部２へ送出し、表示を指示する。これにより、情報表示部２にレベル１のコンテンツ情報に加えて、新たなコンテンツ情報が表示される。制御回路は、ステップＳ２５による表示指示を終えると図３による処理を終了する。
【００３１】
ステップＳ２６において、制御回路は、データ記憶部２２内の不揮発性メモリから開示レベル３のコンテンツ情報を読み出してステップＳ２４へ進む。開示レベル３のコンテンツ情報は、たとえば、あらかじめ定めた閲覧者のみに閲覧を限定したい内容、たとえば、機密性が高い事項などである。
【００３２】
ステップＳ２７において、制御回路は、データ記憶部２２内の不揮発性メモリから開示レベル４のコンテンツ情報を読み出してステップＳ２４へ進む。開示レベル４のコンテンツ情報は、開示レベル３と異なる閲覧者のみに閲覧を限定したい内容である。
【００３３】
以上説明した実施の形態によれば、次の作用効果が得られる。
（１）回覧装置１に指紋検出機能（指紋入力部３Ａ、３Ｂ、指紋記憶部２５、判定部２６）を備え、閲覧者を識別するようにしたので、閲覧者に応じて異なる情報を表示することができる。
【００３４】
（２）回覧装置１の情報表示部２に表示する情報を開示レベル１〜開示レベル４に分類し、閲覧者を識別できない場合（未登録、指紋入力エラー）に回覧装置１の管理者の連絡先など、開示レベル１のコンテンツ情報を表示するようにした。これにより、回覧装置１が閲覧者以外の人に拾われた場合に回覧装置１が管理者の元に戻る可能性が高くなる上に、閲覧者以外の人に開示レベル２〜開示レベル４のコンテンツ情報が閲覧されることがないので、情報の機密性を保つことができる。
【００３５】
（３）上記（２）に加えて、閲覧者を識別した場合に回覧装置１の回覧順（ルート）など、開示レベル２のコンテンツ情報を表示するようにした。これにより、あらかじめ登録されている閲覧者のみに情報を閲覧させることができる上に、次に誰（何処）へ回覧すべきかを閲覧者に知らせることができる。
【００３６】
（４）上記（３）に加えて、識別した閲覧者のＩＤに関連づけて開示レベル３の閲覧許可情報が記憶されている場合に、機密性が高い事項など、開示レベル３のコンテンツ情報を表示するようにした。閲覧許可情報は、閲覧者の登録時にあらかじめ記憶しておく。これにより、閲覧を制限したい事項を特定の閲覧者のみに閲覧させることができる。
【００３７】
（５）上記（４）に加えて、開示レベル３と異なる開示レベル４の閲覧許可情報、ならびに開示レベル４のコンテンツ情報を設けたので、閲覧を制限したい事項を回覧装置１に複数記憶し、それぞれ異なる閲覧者に閲覧させることができる。
【００３８】
以上説明した回覧装置１は、閲覧許可レベル（開示レベル）の数字が大きくなるほど、コンテンツ情報を追加して情報表示部２に表示する情報を増やすようにした。この代わりに、情報表示部２に全てのコンテンツ情報を表示しておき、閲覧許可レベル（開示レベル）に応じて、開示しないコンテンツ情報を覆うようにマスクパタンをオーバーレイ表示させてもよい。
【００３９】
開示レベルが異なる情報を、表示言語を変えて表示してもよい。これにより、閲覧相手に応じて異なる言語でコンテンツ情報を表示することが可能になる。
【００４０】
開示レベルが異なる情報を、表示サイズを変えて表示してもよい。これにより、閲覧相手に応じて異なる大きさの文字、数字および記号、ならびに画像でコンテンツ情報を表示することが可能になる。
【００４１】
上述した開示レベル１〜開示レベル４によるコンテンツ情報は、それぞれ独立した内容でもよいし、１つのコンテンツ情報が他のコンテンツ情報を包含するようにしてもよい。さらに、コンテンツ情報の一部が他のコンテンツ情報の内容と合致するものでもよい。
【００４２】
以上の説明では、開示レベル１〜開示レベル４に分類する例を説明したが、開示レベルは４段階に限らず、たとえば、１０段階に分類してもよい。
【００４３】
上述した回覧装置１は、情報表示部２にコンテンツ情報を表示するものを例に説明したが、表示の他に音声情報を再生するようにしてもよい。音声情報は、コンテンツ情報を音声で読み上げるものや、回覧期限を報知するものである。
【００４４】
また、指紋入力部３Ａ、３Ｂから所定時間以上入力がない場合に、回覧装置１が放置されているとみなして音声情報を再生させてもよい。これにより、１人の閲覧者の手元に回覧装置１が長く滞留することが防止される。
【００４５】
指紋入力部は、３Ａおよび３Ｂの２箇所に配設したが、いずれか１箇所のみに配設してもよい。
【００４６】
情報表示部２は、視覚表示するものを例に説明したが、表面に凹凸を形成して点字情報を出力するものでもよい。
【００４７】
指紋を検出することによって閲覧者を識別したが、指紋検出の他に、閲覧者の声、眼などの情報を用いて識別するようにしてもよい。
【００４８】
閲覧者登録に関して、指紋の入力を指紋入力部３Ａ、３Ｂで行っているが、回覧装置１とは別の装置を用いて、指紋、閲覧者ＩＤ、閲覧許可情報を取得し、それらを関連づけたデータとして管理し、回覧装置１へデータ入力部２１を介して入力されるようにしてもよい。そして、そのデータをもとに、閲覧者の閲覧時の指紋入力部３Ａ、３Ｂからの指紋情報と照らし合わせて判定部２６で判定を行ってもよい。
【００４９】
メインスイッチは、指紋入力部３Ａ、３Ｂと併用し、指紋入力部３Ａ、３Ｂに指が触れることによりメインスイッチがＯＮとなるように構成してもよい。
【００５０】
特許請求の範囲における各構成要素と、発明の実施の形態における各構成要素との対応について説明する。回覧情報は、たとえば、コンテンツ情報が対応する。情報表示手段は、たとえば、情報表示部２によって構成される。識別手段は、たとえば、指紋入力部３Ａ、３Ｂ、指紋記憶部２５、判定部２６によって構成される。制御手段および第２の記憶手段は、たとえば、制御回路（データ記憶部２２）によって構成される。閲覧者情報は、たとえば、指紋情報が対応する。第１の記憶手段は、たとえば、指紋記憶部２５によって構成される。開示度は、たとえば、開示レベルが対応する。なお、本発明の特徴的な機能を損なわない限り、各構成要素は上記構成に限定されるものではない。
【００５１】
【発明の効果】
本発明による回覧装置では、閲覧者を識別して異なる回覧情報を表示するようにしたので、回覧される人に応じた回覧情報を提供することが可能になる。
【図面の簡単な説明】
【図１】本発明の一実施の形態による回覧装置を示す図である。
【図２】回覧装置のブロック構成図である。
【図３】制御回路（データ記憶部）で行われる処理の流れを説明するフローチャートである。
【符号の説明】
１…回覧装置、                    ２…情報表示部、
３Ａ，３Ｂ…指紋入力部、          ２１…データ入力部、
２２…データ記憶部、              ２５…指紋記憶部、
２６…判定部
【図１】
2004185408.tif 000003
【図２】
2004185408.tif 000004
【図３】
2004185408.tif 000005